(57)【要約】【課題】映像の編集を容易に行えるようにする。【解決手段】  複数の中継カメラにより映像が撮影され、それらの映像が切り換えられることにより１つの映像が生成される場合、映像が切り換えられたタイミングを示す情報から、メタデータが生成される。例えば、時刻ｔ２において、中継カメラ３１の映像から中継カメラ３２の映像に映像が切り換えられた場合、メタデータには、時刻ｔ２のときに、中継カメラ３１が“ＯＦＦ”の状態にされたという情報と、中継カメラ３２が“ＯＮ”の状態にされたという情報が書き込まれる。このような情報から構成されるメタデータは、例えば、生成された映像に対して映像が切り換えられたタイミングを示すマークを付随させるときや、そのマークが付けられた部分（編集点付近）を編集する際などに用いられる。本発明は、複数の映像を編集する編集装置に適用することが可能である。【選択図】図９
2005303611.tif 000002
【特許請求の範囲】
【請求項１】
複数のカメラにより撮影された映像のうち、選択された１つの映像を撮影したカメラを特定するための情報を取得する取得手段と、
前記取得手段により取得された前記情報を基に、前記複数のカメラにより撮影された複数の映像の切り換えタイミングを示すメタデータを生成する生成手段と、
前記生成手段により生成された前記メタデータを用いて、前記複数のカメラにより撮影された映像を編集する編集手段と
を備えることを特徴とする編集装置。
【請求項２】
前記取得手段により取得される情報は、On-Air Tallyである
ことを特徴とする請求項１に記載の編集装置。
【請求項３】
前記編集手段は、自動又は手動で前記メタデータを反映させる
ことを特徴とする請求項１記載の編集装置。
【請求項４】
前記編集手段は、前記複数のカメラにより撮影された複数の映像が前記切り換えタイミングで入力されることにより作成されたプログラムに、前記メタデータを反映させることにより、前記切り換えタイミングを前記プログラムの編集点とする
ことを特徴とする請求項１に編集装置。
【請求項５】
前記編集手段は、前記編集点をマーカとして前記プログラムに記録する
ことを特徴とする請求項４に記載の編集装置。
【請求項６】
前記編集手段は、前記プログラムからタイムラインシークエンスを作成するとともに、前記プログラムの編集点を、前記タイムラインシークエンス上のカット編集点とする
ことを特徴とする請求項４に記載の編集装置。
【請求項７】
前記編集手段は、前記複数のカメラにより撮影された複数の映像からタイムラインシークエンスを作成するとともに、前記タイムラインシークエンス上で前記複数のカメラにより撮影された複数の映像を並び替えることによって編集する
ことを特徴とする請求項１に記載の編集装置。
【請求項８】
複数の映像を編集する編集装置の編集方法において、
複数のカメラにより撮影された映像のうち、選択された１つの映像を撮影したカメラを特定するための情報を取得する取得ステップと、
前記取得ステップの処理で取得された前記情報を基に、前記複数のカメラにより撮影された複数の映像の切り換えタイミングを示すメタデータを生成する生成ステップと、
前記生成ステップの処理で生成された前記メタデータを用いて、前記複数のカメラにより撮影された映像を編集する編集ステップと
を含むことを特徴とする編集方法。
【請求項９】
複数の映像を編集する編集装置に、
複数のカメラにより撮影された映像のうち、選択された１つの映像を撮影したカメラを特定するための情報を取得する取得ステップと、
前記取得ステップの処理で取得された前記情報を基に、前記複数のカメラにより撮影された複数の映像の切り換えタイミングを示すメタデータを生成する生成ステップと、
前記生成ステップの処理で生成された前記メタデータを用いて、前記複数のカメラにより撮影された映像を編集する編集ステップと
を含む処理を実行させることを特徴とするプログラム。
【請求項１０】
複数の映像を編集する場合において、
複数のカメラにより撮影された映像のうち、選択された１つの映像を撮影したカメラを特定するための情報を取得する取得ステップと、
前記取得ステップの処理で取得された前記情報を基に、前記複数のカメラにより撮影された複数の映像の切り換えタイミングを示すメタデータを生成する生成ステップと、
前記生成ステップの処理で生成された前記メタデータを用いて、前記複数のカメラにより撮影された映像を編集する編集ステップと
を含む処理を実行させるためのコンピュータ読み取り可能なプログラムを記録した記録媒体。
【発明の詳細な説明】
【技術分野】
【０００１】
本発明は、編集装置および方法、プログラム、並びに記録媒体に関し、特に、複数の中継カメラによりそれぞれ撮影された映像を編集する際に用いて好適な編集装置および方法、プログラム、並びに記録媒体に関する。
【背景技術】
【０００２】
従来、中継カメラにより撮影された映像を編集するビデオ編集装置においては、予め収録済みのビデオテープを装填した複数台の再生用ＶＴＲ(Video Tape Recorder)を制御し、当該複数台の再生用ＶＴＲを再生して得た複数種類の再生映像をビデオスイッチャにより切り換えたり、もしくは再生映像を重ね合わせたりすることにより生成した編集映像を記録用ＶＴＲによって記録する（例えば、特許文献１参照）。
【０００３】
またビデオスイッチャは、編集用途だけではなく、コンサートやスポーツの試合を生中継放送したり、もしくは収録する場合に、複数の中継カメラからの入力映像を任意に切り換えたり、もしくは重ね合わせる用途にも使用され、その出力映像をそのまま生中継放送したり、ビデオテープに収録する。
【０００４】
このときスイッチャを操作している作業者もしくは編集操作の作業者や関係者は、後に行う編集作業を容易にすべく、中継カメラを切り換えてどの場面を実際に使用したかを示すメモ書きを作成したり、切り換え出力映像を収録したビデオテープから検索して切り換え場面をみつけたりする作業が、一般的に行われていた。
【特許文献１】特開2000-149410号公報
【発明の開示】
【発明が解決しようとする課題】
【０００５】
ところでかかる構成のビデオ編集装置においては、作業者が編集作業を行う際、例えば生中継放送が終了した直後に、作業者が複数の中継カメラによって収録された収録済みビデオテープを集め、複数台の再生用ＶＴＲによって再生した収録済みの再生映像を実際にモニタしながら、メモ書きや切り換え出力映像を収録したビデオテープを調べて切り換え場面を探して、各収録済みビデオテープのハイライトシーンとハイライトシーンとを繋ぎ合わせるための編集点を頭出しする等の必要があった。このことは、当該作業者に対して多大な時間と煩雑な手間を強いていた。
【０００６】
本発明はこのような状況に鑑みてなされたものであり、容易に編集点を頭出しできるようにすることを目的とする。また、容易に編集点を頭出しできるようにすることにより、編集点付近における編集も、容易に行えるようにすることを目的とする。さらに、容易に編集点を頭出しできるようにするための処理は、ユーザの手を煩わすことなく行えるようにすることを目的とする。
【課題を解決するための手段】
【０００７】
本発明の編集装置は、複数のカメラにより撮影された映像のうち、選択された１つの映像を撮影したカメラを特定するための情報を取得する取得手段と、取得手段により取得された情報を基に、複数のカメラにより撮影された複数の映像の切り換えタイミングを示すメタデータを生成する生成手段と、生成手段により生成されたメタデータを用いて、複数のカメラにより撮影された映像を編集する編集手段とを備えることを特徴とする。
【０００８】
複数のカメラとは、例えば、テレビジョン放送の映像を撮影する中継カメラである。中継カメラからの映像は、例えば、スイッチャと称される機械に供給され、そのスイッチャにより、複数の映像から１つの映像が選択的に抽出される。そのスイッチャから、カメラを特定するための情報が出力される。
【０００９】
前記取得手段により取得される情報は、On-Air Tallyであるようにすることができる。
【００１０】
前記編集手段は、自動又は手動でメタデータを反映させるようにすることができる。
【００１１】
前記編集手段は、複数のカメラにより撮影された複数の映像が切り換えタイミングで入力されることにより作成されたプログラムに、メタデータを反映させることにより、切り換えタイミングをプログラムの編集点とするようにすることができる。
【００１２】
前記編集手段は、編集点をマーカとしてプログラムに記録するようにすることができる。
【００１３】
前記編集手段は、プログラムからタイムラインシークエンスを作成するとともに、プログラムの編集点を、タイムラインシークエンス上のカット編集点とするようにすることができる。
【００１４】
前記編集手段は、複数のカメラにより撮影された複数の映像からタイムラインシークエンスを作成するとともに、タイムラインシークエンス上で複数のカメラにより撮影された複数の映像を並び替えることによって編集するようにすることができる。
【００１５】
本発明の編集方法は、複数の映像を編集する編集装置の編集方法であって、複数のカメラにより撮影された映像のうち、選択された１つの映像を撮影したカメラを特定するための情報を取得する取得ステップと、取得ステップの処理で取得された情報を基に、複数のカメラにより撮影された複数の映像の切り換えタイミングを示すメタデータを生成する生成ステップと、生成ステップの処理で生成されたメタデータを用いて、複数のカメラにより撮影された映像を編集する編集ステップとを含むことを特徴とする。
【００１６】
本発明のプログラムは、複数の映像を編集する場合において、複数のカメラにより撮影された映像のうち、選択された１つの映像を撮影したカメラを特定するための情報を取得する取得ステップと、取得ステップの処理で取得された情報を基に、複数のカメラにより撮影された複数の映像の切り換えタイミングを示すメタデータを生成する生成ステップと、生成ステップの処理で生成されたメタデータを用いて、複数のカメラにより撮影された映像を編集する編集ステップとを含むことを特徴とする。
【００１７】
本発明の記録媒体は、複数の映像を編集する場合において、複数のカメラにより撮影された映像のうち、選択された１つの映像を撮影したカメラを特定するための情報を取得する取得ステップと、取得ステップの処理で取得された情報を基に、複数のカメラにより撮影された複数の映像の切り換えタイミングを示すメタデータを生成する生成ステップと、生成ステップの処理で生成されたメタデータを用いて、複数のカメラにより撮影された映像を編集する編集ステップとを含む処理を実行させるためのプログラムを記録したことを特徴とする。
【００１８】
本発明の編集装置および方法、並びに記録媒体においては、複数の映像を１つの映像に編集する際に、編集後の映像として選択された映像に切り換えられたタイミングを示す情報が生成され、その生成された情報に基づいて、さらに細かい編集が行われる。
【発明の効果】
【００１９】
本発明によれば、異なるカメラで撮影された映像を切り換えた編集点を、ユーザの手を煩わすことなく、容易に記録することが可能となる。
【００２０】
本発明によれば、記録された編集点を用いて、容易に編集作業を行うことが可能となる。
【発明を実施するための最良の形態】
【００２１】
以下に本発明の最良の形態を説明するが、開示される発明と実施の形態との対応関係を例示すると、次のようになる。明細書中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００２２】
さらに、この記載は、明細書に記載されている発明の全てを意味するものではない。換言すれば、この記載は、明細書に記載されている発明であって、この出願では請求されていない発明の存在、すなわち、将来、分割出願されたり、補正により出現し、追加される発明の存在を否定するものではない。
【００２３】
本発明の編集装置（例えば、図１に示した編集部１６）は、複数のカメラにより撮影された映像のうち、選択された１つの映像を撮影したカメラを特定するための情報を取得する取得手段（例えば、図８のステップＳ３１の処理を実行する図５のメタデータ生成部１３１）と、取得手段により取得された情報を基に、複数のカメラにより撮影された複数の映像の切り換えタイミングを示すメタデータを生成する生成手段（例えば、図８のステップＳ３２の処理を実行する図５のメタデータ生成部１３１）と、生成手段により生成されたメタデータを用いて、複数のカメラにより撮影された映像を編集する編集手段（例えば、図５のメタデータ解析部１３２と編集処理部１３３）とを備えることを特徴とする。
【００２４】
以下に、本発明の実施の形態について図面を参照して説明する。
【実施例１】
【００２５】
［全体構造］
図１は、本発明を適用したシステムの一実施の形態の構成を示す図である。図１に示したシステムは、複数のカメラにより撮影された映像を編集する際に用いられる。なお、各部の詳細な構成は、図２乃至図５を参照して説明し、また、各部において授受されるデータなどの説明は、図２乃至図５を参照しながら説明する。
【００２６】
撮影部１１は、複数のカメラから構成される。ここでは、テレビジョン放送を考慮し、撮影部１１を構成する複数のカメラは、放送用のカメラであるとする。撮影部１１により撮影された映像は、記録部１２に供給される。記録部１２は、撮影部１１を構成するカメラの数に対応する台数のＶＴＲ（Video Tape Recorder）から構成されている。
【００２７】
撮影部１１により撮影された映像は、スイッチャ１３にも供給される。スイッチャ１３は、撮影部１１から供給される複数のカメラにより撮影された映像を切り換え、１つの映像を放送用の映像として出力する。俗に生放送などと称される放送形態の場合、この切り換えられた結果出力される１つの映像が、放送電波にのって放送されることがある。また、生放送であるか否かにかかわらず、この切り換えられた結果出力される１つの映像は、必要に応じて編集部１６により編集される。
【００２８】
スイッチャ１３からは、切り換えられた結果出力される１つの映像は、記録部１２にも供給され、記録される。また、スイッチャ１３からは、スイッチされたタイミングを示す情報が、Ｉ／Ｆ（インタフェース）部１４に供給される。また、Ｉ／Ｆ部１４には、時刻情報生成部１５により生成される時刻情報も入力される。
【００２９】
Ｉ／Ｆ部１４に入力された情報は、編集部１６に供給される。Ｉ／Ｆ部１４は、ここでは、編集部１６などと別体として図示したが、スイッチャ１３または編集部１６に含まれる構成とすることも可能である。
【００３０】
編集部１６は、撮影部１１を構成する複数のカメラによりそれぞれ撮影された映像が供給され、それらの映像を必要に応じて編集することにより、１つの映像を作り上げる。撮影部１１からの映像は、記録部１２を構成する複数のＶＴＲにより記録される。その映像が記録されているビデオテープが物理的に編集部１６側に配送され、その配送されたビデオテープが、編集部１６側に設けられているＶＴＲにより再生されることにより、編集部１６側に撮影部１１からの映像が供給される。
【００３１】
または、撮影部１１（もしくは記録部１２でも良い）と、編集部１６が無線や有線で、データの授受が直接的に行えるように接続され、その接続を介して撮影部１１からの映像が編集部１６に供給されるようにしても良い。なお、スイッチャ１３と編集部１６（Ｉ／Ｆ部１４も含め）を一体型に構成することも可能である。
【００３２】
［撮影部、記録部、スイッチャの構成］
図２を参照し、撮影部１１、記録部１２、およびスイッチャ１３の構成について説明する。撮影部１１は、中継カメラ３１乃至３４から構成されている。ここでは、４台の中継カメラにより撮影部１１が構成されているとして説明を続ける。撮影部１１が４台の中継カメラ３１乃至３４から構成されているため、それぞれの中継カメラからの映像を記録するための記録部１２も、４台のＶＴＲ４１乃至４４から構成される。
【００３３】
また、記録部１２には、スイッチャ１３から出力される映像を記録するためのＶＴＲ４５も含まれる。
【００３４】
撮影部１１を構成する中継カメラ３１乃至３４からそれぞれ撮影された映像は、記録部１２のＶＴＲ４１乃至４４に供給されると共に、スイッチャ１３の入出力部５１にも供給される。入出力部５１は、例えば、入力された複数の映像から１つの映像を選択し（スイッチングし）、その選択された映像のみを外部に出力する機能を有する。そのスイッチングは、スイッチャ制御部５２の指示に基づいて行われる。
【００３５】
スイッチャ制御部５２への指示は、スイッチャ１３の各部を制御する制御部５３により出される。制御部５３は、操作部５４からの指示に基づき、各部を制御する。操作部５４は、ユーザが、どの中継カメラからの映像を選択するかなどの指示を、スイッチャ１３に対して与える部分である。
【００３６】
スイッチャ制御部５２によりスイッチングの指示が出されると、その指示は、スイッチング情報生成部５５にも供給される。スイッチング情報生成部５５は、どの中継カメラからの映像がＶＴＲ４５に出力されたかを示す情報（以下、適宜、スイッチング情報と記述する）を、Ｉ／Ｆ部１４（図１）に出力する。
【００３７】
なお、図２には図示していないが、入出力部５１から出力された映像は、必要に応じ（例えば、生中継の場合など）、放送電波にのせられて放送される。また、記録部１２（ＶＴＲ４５を含む）やスイッチャ１３には、時刻情報生成部１５（図１）からの情報も供給される。
【００３８】
［Ｉ／Ｆ部の構成］
図３に、Ｉ／Ｆ部１４の内部構成例を示す。スイッチング情報生成部５５から出力されたスイッチング情報は、Ｉ／Ｆ部１４の入力部７１に入力される。スイッチング情報の詳細は後述するが、スイッチング情報としては、中継カメラ３１乃至３４からの映像がスイッチングされた結果、出力されているか否か（ＶＴＲ４５に供給されているか否か）を表す情報である。そして、スイッチング情報は、各中継カメラ３１乃至３４毎に生成されるため、入力部７１には、各中継カメラ３１乃至３４毎の４つのスイッチング情報が入力される。
【００３９】
スイッチング情報としては、オンエアータリー（ON AIR TALLY）などと称される情報を用いることができる。
【００４０】
Ｉ／Ｆ部１４の入力部７２には、時刻情報生成部１５からの時刻情報が入力される。時刻情報としては、映像が撮影されているときの実際の日時でも良いし、撮影が開始された時点を０とし、その後の経過時間を表すものでも良い。また、時刻情報としては。ＬＴＣ（Longitudinal Time Code）などと称される情報を用いるようにしても良い。
【００４１】
入力部７１および入力部７２に入力された情報は、出力部７３を介して、外部の装置、ここでは、編集部１６に出力される。
【００４２】
［編集部の構成］
編集部１６は、例えば、パーソナルコンピュータを用いることができる。編集部１６としてパーソナルコンピュータを用いるようにした場合の編集部１６の内部構成例を、図４に示す。
【００４３】
編集部１６のＣＰＵ（Central Processing Unit）９１は、ＲＯＭ（Read Only Memory）９２に記憶されているプログラムに従って各種の処理を実行する。ＲＡＭ（Random Access Memory）９３には、ＣＰＵ９１が各種の処理を実行する上において必要なデータやプログラムなどが適宜記憶される。入出力インタフェース９５は、キーボードやマウスから構成される入力部９６が接続され、入力部９６に入力された信号をＣＰＵ９１に出力する。また、入出力インタフェース９５には、ディスプレイやスピーカなどから構成される出力部９７も接続されている。
【００４４】
さらに、入出力インタフェース９５には、ハードディスクなどから構成される記憶部９８、および、インターネットなどのネットワークを介して他の装置とデータの授受を行う通信部９９も接続されている。ドライブ１００は、磁気ディスク１１１、光ディスク１１２、光磁気ディスク１１３、半導体メモリ１１４などの記録媒体からデータを読み出したり、データを書き込んだりするときに用いられる。
【００４５】
図５は、図４に示したような構成を有する編集部１６において実現される機能を示すブロック図である。メタデータ生成部１３１は、Ｉ／Ｆ部１４から供給されるスイッチング情報や時刻情報を用いてメタデータを生成する。このメタデータの詳細については後述するが、編集点を表すデータであり、編集の際に用いることができるデータである。
【００４６】
メタデータ解析部１３２は、メタデータ生成部１３１により生成されたメタデータを、必要に応じて解析する部分であり、その解析結果は、編集処理部１３３に供給される。編集処理部１３３は、ユーザの指示により供給される映像に対して編集（例えば、所定のシーンを継ぎ足したり、あるいはカットしたりする処理）を行う。編集処理部１３３に供給される映像は、入力制御部１３４により入力が制御されたものである。
【００４７】
入力制御部１３４は、複数のＶＴＲからの映像のうち、ユーザにより指示された映像を編集処理部１３３に供給するように構成されている。ここでは、入力制御部１３４には、中継カメラ３１により撮影され、ＶＴＲ４１により記録された映像を供給するＶＴＲ１５１、中継カメラ３２により撮影され、ＶＴＲ４２により記録された映像を供給するＶＴＲ１５２、中継カメラ３３により撮影され、ＶＴＲ４３により記録された映像を供給するＶＴＲ１５３、中継カメラ３４により撮影され、ＶＴＲ４４により記録された映像を供給するＶＴＲ１５４、および、スイッチャ１３から出力され、ＶＴＲ４５により記録された映像を供給するＶＴＲ４５が接続されている。
【００４８】
これらのＶＴＲ１５１乃至１５５から供給される映像のうちの１つの映像を、入力制御部１３４は編集処理部１３３に供給する。編集処理部１３３により編集された映像は、ＶＴＲ１５６に出力され、記録される。
【００４９】
［スイッチャの処理］
次に、図２に示したスイッチャ１３の処理について図６のフローチャートを参照して説明する。前提として、撮影部１１を構成する中継カメラ３１乃至３４により、映像が撮影されている状態であるとする。
【００５０】
ステップＳ１１において、制御部５３は、スイッチングの指示があったか否かを判断する。スイッチング１３の操作者（ユーザ）は、中継カメラ３１乃至３４でそれぞれ撮影されている映像を、モニタ（不図示）で確認している。そのような状態で、ユーザは、実際に放送したい映像を撮影している中継カメラを選択する（実際に放送したい映像に切り換える（スイッチングする））。
【００５１】
そのような選択は、操作部５４が操作されることにより、制御部５３に指示される。制御部５３は、そのような指示があったか否かを、ステップＳ１１において判断する。ステップＳ１１において、制御部５３が、スイッチングの指示があったと判断すると、ステップＳ１２に処理が進められる。ステップＳ１２において、スイッチング先として指示された中継カメラにスイッチングされるための処理が実行される。
【００５２】
制御部５３は、スイッチャ制御部５２にスイッチング先として指示された中継カメラを特定するための情報を出力する。その情報に基づき、スイッチャ制御部５２は、スイッチング先として指示された中継カメラからの映像が出力されるように、入出力部５１を制御する。
【００５３】
入出力部５１は、例えば、中継カメラ３１乃至３４それぞれからの映像を入力する複数の入力端子（不図示）と、外部出力用の端子（不図示）（この場合、ＶＴＲ４５が接続される端子）とを、物理的に接続するスイッチから構成されており、それらのスイッチの１つが閉じられることにより、１つの中継カメラからの映像のみが出力されるように構成されている。このようにスイッチで構成されている場合、どのスイッチを閉じるかが指示される。
【００５４】
スイッチャ制御部５２からの指示は、スイッチング情報生成部５５にも供給される。スイッチング情報生成部５５は、ステップＳ１３において、スイッチング情報を生成し、Ｉ／Ｆ部１４（図３）に供給する。
【００５５】
このような処理がスイッチャ１３により行われることにより出力される映像とスイッチング情報について説明する。
【００５６】
［映像およびスイッチング情報について］
図７は、スイッチャ１３から出力される（この場合、ＶＴＲ４５に供給される）映像と、スイッチング情報生成部５５により出力される（この場合、Ｉ／Ｆ部１４に供給される）スイッチング情報について説明するための図である。
【００５７】
図７のＡ段に、ＶＴＲ４５に供給される映像の構成を示している。すなわち、時刻ｔ１から時刻ｔ２までは、中継カメラ３１により撮影されている映像が出力され、時刻ｔ２から時刻ｔ３までは、中継カメラ３２により撮影されている映像が出力され、時刻ｔ３から時刻ｔ４までは、再度中継カメラ３１により撮影されている映像が出力されることを示し、そのようにして出力された映像が、ＶＴＲ４５により記録されることを示している。
【００５８】
図７のＢ乃至Ｅ段に、スイッチング生成部５５により生成され出力されるスイッチング情報を示す。図７のＢ乃至Ｅ段に示すように、スイッチング情報は、この場合、中継カメラ３１乃至３４毎に、それぞれの中継カメラの映像が出力されているか否か（選択されているか否か）を示す情報とされる。
【００５９】
図７のＢ段乃至Ｅ段において、“ＯＮ”という記載は、その中継カメラが選択されている状態（映像がＶＴＲ４５に出力されている状態）であることを意味し、“ＯＦＦ”という記載は、その中継カメラが選択されていない状態（映像がＶＴＲ４５に出力されていない状態）であることを意味する。
【００６０】
図７のＢ段を参照するに、中継カメラ３１に関するスイッチング情報は、時刻ｔ１から時刻ｔ２まで、“ＯＮ”という状態であることを示す情報、時刻ｔ２から時刻ｔ３までは、“ＯＦＦ”という状態であることを示す情報、時刻ｔ３から時刻ｔ４までは、“ＯＮ”という状態であるということを示す情報から構成されている。
【００６１】
図７のＣ段を参照するに、中継カメラ３２に関するスイッチング情報は、時刻ｔ１から時刻ｔ２まで、“ＯＦＦ”という状態であることを示す情報、時刻ｔ２から時刻ｔ３までは、“ＯＮ”という状態であることを示す情報、時刻ｔ３から時刻ｔ４までは、“ＯＦＦ”という状態であるということを示す情報から構成されている。
【００６２】
図７のＤ段を参照するに、中継カメラ３３に関するスイッチング情報は、時刻ｔ１から時刻ｔ４まで、“ＯＦＦ”という状態であることを示す情報である。同様に、図７のＥ段を参照するに、中継カメラ３４に関するスイッチング情報は、時刻ｔ１から時刻ｔ４まで、“ＯＦＦ”という状態であることを示す情報である。
【００６３】
図７のＡ段に示したような映像が構成される場合、図７のＢ乃至Ｅ段に示したようなスイッチング情報が出力される。
【００６４】
スイッチング情報は、Ｉ／Ｆ部１４を介して、編集部１６に供給される。編集部１６には、Ｉ／Ｆ部１４を介して、時刻情報生成部１５により生成された時刻情報も供給される。ここで時刻情報生成部１５により生成される時刻情報は、例えば、図７において、時刻ｔ１や時刻ｔ２といった、スイッチングが行われた時刻を特定するための情報である。
【００６５】
［メタデータの生成について］
次に、スイッチング情報と時刻情報が供給される編集部１６の処理について説明する。まず、編集部１６のメタデータ生成部１３１（図５）により生成されるメタデータについて説明する。
【００６６】
ステップＳ３１において、メタデータ生成部１３１は、スイッチング情報と時刻情報を取得する。この取得は、Ｉ／Ｆ部１４から直接的に供給されることにより行われる。直接的にとは、Ｉ／Ｆ部１４と編集部１６が、例えば、所定のケーブルで接続され、そのケーブルを介して情報の授受を行うこと、または、無線により情報の授受を行うことを意味する。
【００６７】
または、Ｉ／Ｆ部１４に、パーソナルコンピュータ（不図示）が接続され、そのパーソナルコンピュータにより、Ｉ／Ｆ部１４からのスイッチング情報と時刻情報が所定の記録媒体（例えばフレキシブルディスク）に記録され、記録された後の時点で、編集部１６にその記録媒体がセットされ、その記録媒体から読み出されることにより取得される場合もある。
【００６８】
ステップＳ３１において、スイッチング情報と時刻情報が取得されると、ステップＳ３２において、それらのデータからメタデータが生成される。図９に生成されるメタデータの一例を示す。
【００６９】
メタデータには、時刻情報、中継カメラ情報、および、ON/OFF情報が、少なくとも関連付けられて書き込まれている。図９に示したメタデータは、図７に示した状況のときに作成されるメタデータを示している。時刻情報として“時刻t１”が書き込まれている欄を参照するに、時刻t１と関連付けられている中継カメラ情報は、“中継カメラ３１”であり、ON/OFF情報として関連付けられている情報は、“ＯＮ”である。
【００７０】
時刻情報として“時刻t２”が書き込まれている欄を参照するに、時刻t２と関連付けられている中継カメラ情報は、“中継カメラ３１”であり、ON/OFF情報として関連付けられている情報は、“ＯＦＦ”である。また、時刻情報としての“時刻t２”には、中継カメラ情報として、“中継カメラ３２”であり、ON/OFF情報として“ＯＮ”という情報も関連付けられている。
【００７１】
時刻ｔ２では、図７に示すように、中継カメラ３１の映像から中継カメラ３２の映像に切り換えられたときである。すなわち、時刻ｔ２は、中継カメラ３１は、“ＯＮ”の状態から“ＯＦＦ”の状態に切り換えられ、中継カメラ３２は、“ＯＮ”の状態から“ＯＦＦ”の状態に切り換えられときである。
【００７２】
このようにメタデータには、“ＯＮ”の状態から“ＯＦＦ”の状態に、または、“ＯＦＦ”の状態から“ＯＮ”の状態に状態が切り換えられた中継カメラの情報が書き込まれている。換言すれば、メタデータには、選択された映像を撮影していたカメラに関する情報と時間が記載されている。
【００７３】
メタデータを構成するデータのうち、時刻情報は、時刻情報生成部１５（図１）が生成した時刻情報が用いられて生成され、中継カメラ情報とON/OFF情報は、スイッチング情報生成部５５により生成されたスイッチング情報が用いられて生成される。
【００７４】
図９に示したメタデータは、図７に示したような状態のときに生成される。ここで、他のメタデータの例を示す。図１０に示したような状態のときに生成されるメタデータを、図１１に示す。
【００７５】
まず、図１０に示した状況について説明する。図１０のＡ段に示したのは、図７のＡ段に示したのと同様に、ＶＴＲ４５に供給される映像の構成を示している。同じく図１０のＢ段とＣ段は、それぞれ、図７のＢ段とＣ段に示したのと同様に、スイッチング情報生成部５５により生成され出力されるスイッチング情報を示す。ただし、図１０においては、中継カメラ３１と中継カメラ３２に関するスイッチング情報のみを図示してある。
【００７６】
図１０のＡ段を参照するに、時刻ｔ１から時刻ｔ２までは、中継カメラ３１により撮影されている映像が出力され、時刻ｔ２から時刻ｔ３までは、“Wipe”という特殊な映像が出力され、時刻ｔ３から時刻ｔ４までは、中継カメラ３２により撮影されている映像が出力されることを示し、そのようにして出力された映像が、ＶＴＲ４５により記録される。
【００７７】
ここで、“Wipe”という特殊な映像について説明を加える。“Wipe”とは、前の画像を拭い去るようにして次の画像へ切り換えるための映像効果である。その種類には、例えば、「Standard Wipe」、「Enhanced Wipe」、「Rotary Wipe」、「Mosaic Wipe」、「Random Wipe」、「Diamond Dust Wipe」等の種類がある。ここでは、“Wipe”を例に挙げて説明するが、特殊な映像としては、他に、画像を混合させながら前の画像から次の画像に切り換えるためのミックス(Mix)などもある。
【００７８】
このような特殊な映像が挟まれる場合、図１０のＢ段を参照するに、中継カメラ３１に関するスイッチング情報は、時刻ｔ１から時刻ｔ３まで（Wipeの終了時刻まで）“ＯＮ”の状態であり、時刻ｔ３以降は“ＯＦＦ”の状態であるという情報である。図１０のＣ段を参照するに、中継カメラ３２に関するスイッチング情報は、時刻ｔ１から時刻ｔ２まで（Wipeの開始時刻まで）“ＯＦＦ”の状態であり、時刻ｔ２以降は“ＯＮ”の状態であるという情報である。
【００７９】
このように、“Wipe”という特殊な映像が挟まれる場合に生成されるメタデータは、図１１に示すようになる。時刻情報として“時刻t１”が書き込まれている欄を参照するに、時刻t１と関連付けられている中継カメラ情報は、“中継カメラ３１”であり、ON/OFF情報として関連付けられている情報は、“ＯＮ”である。時刻情報として“時刻t２”が書き込まれている欄を参照するに、時刻t２と関連付けられている中継カメラ情報は、“中継カメラ３２”であり、ON/OFF情報として関連付けられている情報は、“ＯＮ”である。
【００８０】
さらに、時刻情報として“時刻t３”が書き込まれている欄を参照するに、時刻t３と関連付けられている中継カメラ情報は、“中継カメラ３１”であり、ON/OFF情報として関連付けられている情報は、“ＯＦＦ”であり、時刻情報として“時刻t４”が書き込まれている欄を参照するに、時刻t４と関連付けられている中継カメラ情報は、“中継カメラ３２”であり、ON/OFF情報として関連付けられている情報は、“ＯＦＦ”である。
【００８１】
このようなメタデータを参照することにより、図１０に示したような状態、すなわち、時刻ｔ２から時刻ｔ３までは、中継カメラ３１と中継カメラ３２が共に“ＯＮ”の状態であり、そのような状態のときには特殊な映像（この場合、“Wipe”という映像）が挟まれているということが復元できる。
【００８２】
図９または図１１に示したメタデータは、一例であり、限定を示すものではない。すなわち、図示していない情報も、メタデータ内に記載されるようにしても良い。また、メタデータ自体は、例えば、ＸＭＬ（eXtensible Markup Language）などが用いられて記載される。
【００８３】
［メタデータを用いた編集］
次に、編集部１６（図５）における編集処理について説明する。編集部１６は、メタデータ生成部１３１により上述したような処理が行われることにより、メタデータを生成する。そのメタデータは、メタデータ解析部１３２により解析され、その結果を編集処理部１３３が用いることにより、編集が行われる。
【００８４】
まず、ＶＴＲ４５に記録された映像（スイッチングされた結果としての映像）に対し、編集点（スイッチングされた時点）を付けるという編集について説明する。図１２のＡ段に示したように、ＶＴＲ４５に記録された映像（ここでは、プログラムＡと記述する）には、図７のＡ段に示したような、どの中継カメラにより撮影された情報であるのか、また、どの時点で、映像が切り換えられたのかといったような情報は付随していない。
【００８５】
このようなプログラムＡに対し、中継カメラが切り換えられた時点を示す情報（スイッチング情報）を、図１２のＢ段に示したようにマークを付ける場合、図１３に示したようなフローチャートの処理が実行される。まず、ステップＳ５１において、プログラムＡの取得の処理が実行される。
【００８６】
プログラムＡは、ＶＴＲ４５（図２）により記録され、編集部１６に接続されている、例えばＶＴＲ１５５（図５）により再生される。編集処理部１３３は、入力制御部１３４を制御し、ＶＴＲ１５からの映像（すなわち、プログラムＡ）を取得する。
【００８７】
ステップＳ５２において、メタデータ解析部１３２は、メタデータを解析する。このメタデータは、メタデータ生成部１３１により生成されたものであるが、リアルタイムに生成されたものが用いられるようにしても良いし、この処理が実行される前の時点で生成され、所定の記録媒体に記録されたものが用いられるようにしても良い。メタデータ解析部１３２により解析された解析結果は、編集処理部１３３に供給される。
【００８８】
編集処理部１３３は、ステップＳ５３において、時刻情報が一致するか否かを判断する。一致するか否かの判断対象となる時刻情報は、メタデータに記載されている時刻情報と、プログラムＡに記録されている時刻情報である。プログラムＡにも、時刻情報生成部１５（図１）から供給される時刻情報が記録されている。時刻情報が一致するということは、中継カメラが切り換えられたタイミングであることを示している。
【００８９】
ステップＳ５３において、編集処理部１３３が、メタデータに記載されている時刻情報と、プログラムＡの時刻情報が一致すると判断した場合、そのプログラムＡにマークを付随させる。例えば、図９に示したようなメタデータが解析された場合、時刻ｔ２のところで、マークｔ２というマークが、プログラムＡに付随される（図１２のＢ段参照）。
【００９０】
このように、マークが付けられていないプログラムＡに対して、中継カメラが切り換えられた時点を示すマークを付けることが、メタデータを生成し、解析することにより可能となる。このようなマークを参照することにより、映像の切り換えられた正確な時点を編集者は認識することが可能となる。
【００９１】
また、マークを付けることにより、マークからマークへのジャンプ（例えば、マークｔ２からマークｔ３へのジャンプ）が可能となるため、映像の切り換え点（編集点）における編集を素早く行うことが可能となる。そのような編集点における編集について、図１４を参照して説明する。
【００９２】
［編集点における編集］
図１４のＡ段は、編集点を表すマークが付けられたプログラムＡを示す。なお、このマークは、図９に示したようなメタデータ（図７に示したような状態において生成されたメタデータ）に基づき編集された結果付けられたものである。
【００９３】
図１４のＢ段は、図１４のＡ段に示したようなマークが付けられたプログラムＡにおける中継カメラ３１と中継カメラ３２においてそれぞれ撮影された映像（以下、適宜、中継カメラ３１で撮影された映像をクリップ３１と記述し、中継カメラ３２で撮影された映像をクリップ３２と記述する）を示す。
【００９４】
マークｔ２が付けられた時点は、中継カメラ３１のスイッチング情報が“ＯＦＦ”とされた時点であり、中継カメラ３２のスイッチング情報が“ＯＮ”とされた時点である。マークｔ２までの区間は、クリップ３１が用いられ、マークｔ２からマークｔ３までの区間は、クリップ３２が用いられることによりプログラムＡが作成されたことを示している。
【００９５】
このような状態から、図１４のＣ段に示すように、マークｔ２を、そのマークｔ２より前の時点であるマークｔ２’の時点まで移動させることを考える。このような場合、クリップ３１の利用区間を短くし、クリップ３２の利用区間を長くするといった編集が実行される。図１４のＣ段においては、長くなる区間を斜線で示している。
【００９６】
図１４のＢ段に示したような状態から、図１４のＤ段に示すように、マークｔ２を、そのマークＴ２より後の時点であるマークｔ２”の時点まで移動させることを考える。このような場合、クリップ３１の利用区間を長くし、クリップ３２の利用区間を短くするといったような編集が実行される。図１４のＤ段においては、長くなる区間を斜線で示している。
【００９７】
このような処理を行う場合、従来では、プログラムＡを再生し、その映像を見ながら、かつ、タイムキーパーがメモしておいた時刻情報を参照しながら、映像の切り換え点を探し出していた。しかしながら、本実施の形態においては、メタデータを作成し、そのメタデータを用いて、プログラムＡにマークを付けることが可能となるので、そのマークを探し出すだけで、容易に映像の切り換え点を探し出すことができる。マークを探し出す処理は、編集部１６側で容易に行うことが可能であるため、結果としてユーザは、映像の切り換え点を容易に探し出すことができ、その切り換え点における細かな編集を行うことが可能となる。
【００９８】
ここまでの説明は、プログラムＡに対してマークを付けるとして説明した。よって、図１５に示すように、プログラムＡに対して付けられていたマークｔ２を、プログラムＡに対して付けるマークｔ２’に付け直したことになる。プログラムＡに付けられたマークｔ２’は、プログラムＡ上にあるため、そのマークｔ２’の前の画像はクリップ３１の画像であり、後の画像もクリップ３１の画像である。図１４のＣ段を参照するに、マークｔ２’の前の時点での画像は、クリップ３１の画像でよいが、後の時点での画像は、クリップ３２の画像でなくてはならない。
【００９９】
よって、プログラムＡに対してマークを付け直すといった処理を実行する場合、例えば、図１４のＣ段に示したような編集を実行するような場合、斜線を付けた区間の映像をプログラムＡから削除し、斜線を付けた区間の映像をクリップ３２から抽出し、プログラムＡに張り直すといったような処理を行う必要がある。もちろん、そのような処理を行う場合であっても、プログラムＡにマークが付いていることにより、編集箇所を特定しやすくなり、容易に編集を実行することができる。
【０１００】
ところで、上述した実施の形態においては、複数の中継カメラにより撮影された映像を組み合わせたプログラムＡに対して編集を施すとして説明したが、複数の中継カメラにより撮影された映像を組み合わせるといった編集を行うことも可能である。例えば、中継カメラ３１乃至３４により撮影された映像を記録したテープをＶＴＲ１５１乃至１５４（図５）にそれぞれセットし、そのセットされたテープを再生することにより得られる映像をメタデータに基づき編集するといったことも可能である。
【０１０１】
そのような場合について説明を加える。まず、メタデータを用いて、複数の映像を組み合わせることにより１つの映像を作成する場合を、図１６と図１７を参照して説明する。ここでは、図１６に示すように、クリップ３１とクリップ３２を編集することにより、タイムラインシークエンス（Sequence）Ａを作成する場合を例にあげて説明する。
【０１０２】
クリップ３１とクリップ３２は、上述した場合と同様に、それぞれ中継カメラ３１と中継カメラ３２で撮影された映像を示す。また、ここでは、プログラムＡと区別するために、編集することにより作成される映像をタイムラインシークエンスＡと記述する。メタデータは、図９または図１１に示したものであるとして以下の説明を続ける。
【０１０３】
ステップＳ７１（図１７）において、クリップの再生が開始される。この場合、クリップ３１とクリップ３２が、例えば、ＶＴＲ１５１とＶＴＲ１５２（図５）により再生される。ステップＳ７２において、メタデータが解析される。ここまでの処理は、基本的に、図１３のステップＳ５１とステップＳ５２の処理と同様である。
【０１０４】
ステップＳ７３において、映像の特定が行われる。そして、ステップＳ７４において、特定された映像が、クリップとして再生されているか否かが判断される。例えば、図９に示したようなメタデータが解析された場合、時刻ｔ１から時刻ｔ２までの区間の映像は、中継カメラ３１からの映像であると特定されるため、クリップ３１が存在すると判断される。
【０１０５】
このような場合、ステップＳ７５に処理が進められ、クリップから映像の抽出が行われる。この例の場合、時刻ｔ１から時刻ｔ２までの区間に対応する映像が、クリップ３１から抽出され、タイムラインシークエンスＡを構成する映像として、対応する区間に貼り付けられる。
【０１０６】
一方、例えば、図１１に示したようなメタデータが解析された場合、時刻ｔ２から時刻ｔ３までの区間は、中継カメラ３１と中継カメラ３２が共に“ＯＮ”の状態であるため、その区間の映像は、中継カメラ３１からの映像であるか、中継カメラ３２からの映像であるか特定することができない。よって、このような場合、クリップは存在しないと判断される。
【０１０７】
このような場合、ステップＳ７６に処理が進められ、ブラック（BLACK）が、対応する区間に貼り付けられる。このブラックが貼り付けられる区間は、特殊な映像（上述した説明においては“Wipe”）が貼り付けられる区間として設定されていることを示す。
【０１０８】
このような処理が繰り返されることによりタイムラインシークエンスＡが作成される。
【０１０９】
このようにして作成されるタイムラインシークエンスＡには、図１８に示すように、マークｔ２やマークｔ３を付けることが可能であり、他の編集を行うためにも付けておくことが好ましい。例えば、マークｔ２をずらすという編集を行う場合を考える。例えば、図１４のＣ段に示すように、マークｔ２を、そのマークｔ２より前の時点のマークｔ２’まで移動させることを考える。
【０１１０】
まず、編集前のタイムラインシークエンスＡは、マークｔ２の時点の前の時点の画像は、クリップ３１を参照しているものであり、後の時点の画像は、クリップ３２を参照しているものである。このような状態からマークｔ２をマークｔ２’の時点に移動させた場合であっても、マークｔ２’の前の時点の画像は、クリップ３１を参照しているものであり、後の時点の画像は、クリップ３２を参照しているものである。
【０１１１】
このように、タイムラインシークエンスＡは、クリップ３１とクリップ３２を参照することにより構成されているため、マークの位置をずらしても、プログラムＡに付けられたマークをずらしたときのような処理を行わなくても良い。よって、このような編集も容易に行うことが可能となる。
【０１１２】
このように、本発明を適用すれば、撮影された中継カメラの情報や切り換えられたタイミングを示す情報などから構成されるメタデータを生成することが可能となる。また、その生成されたメタデータを用いることにより、複数の中継カメラにより撮影される映像から構成される１つの映像に対し、映像が切り換えられたタイミングを示すマークを付けることが可能となる。そのようなマークは、容易に付けることができ、ユーザ側から観れば自動的に付けることが可能となる。
【０１１３】
勿論、ユーザ側から観て自動的にマークが付けられるようにしても使い勝手が良いことは確かであるが、ユーザにより手動でマークが付けられるようにしても、そのマークを付ける場所を容易に探し出すことができるという利点があることは言うまでもない。
【０１１４】
さらに、マークが付けられることにより、映像の切り換え点における編集を容易に行うことが可能となる。
【実施例２】
【０１１５】
実施例１においては、編集部１６（図１）でメタデータを生成するとして説明した。実施例２とし、メタデータをスイッチャ１３で生成するようにしても良い。図１９は、スイッチャ１３側でメタデータを生成するようにしたときのスイッチャ２０１（図２に示したスイッチャ１３と区別するために、スイッチャ２０１とする）の構成例を示す。
【０１１６】
図１９に示したスイッチャ２０１と、図２に示したスイッチャ１３を比較するに、スイッチャ２０１は、スイッチャ１３にメタデータ生成部２１１を加えた構成とされ、他の部分は、スイッチャ１３と同様である。図１９には図示していないが、メタデータ生成部２１１には、時刻情報生成部１５により生成される時刻情報も供給される。
【０１１７】
メタデータ生成部２１１は、図５に示したメタデータ生成部１３１と同様に、スイッチング情報と時刻情報からメタデータを生成する。よって、メタデータの生成の仕方、メタデータを用いた編集などの処理は、実施例１と同様に行うことが可能であり、その説明は既にしたので、ここでは省略する。
【０１１８】
メタデータをスイッチャ２０１側で作成するため、編集部１６側でメタデータを生成する必要がない。よって、図示はしないが、編集部１６の構成は、図５に示した編集部１６の構成から、メタデータ生成部１３１を削除した構成とされる。スイッチャ２０１により生成されたメタデータは、例えば、所定の記録媒体に記録された状態で、編集部１６に供給される。
【０１１９】
実施例２のように、スイッチャ２０１側でメタデータを生成するようにしても、実施例１の場合と同様の効果を得ることができる。
【０１２０】
なお、上述した実施の形態においては、ＶＴＲを例に挙げて説明したが、ＶＴＲ以外の装置を利用することも勿論可能である。例えば、光ディスク、ＨＤＤ、半導体メモリなどを記録媒体とする装置を用いることも可能である。
【０１２１】
［記録媒体について］
上述した一連の処理は、それぞれの機能を有するハードウェアにより実行させることもできるが、ソフトウェアにより実行させることもできる。一連の処理をソフトウェアにより実行させる場合には、そのソフトウェアを構成するプログラムが専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１２２】
記録媒体は、図４に示すように、パーソナルコンピュータなどととは別に、ユーザにプログラムを提供するために配布される、プログラムが記録されている磁気ディスク１１１（フレキシブルディスクを含む）、光ディスク１１２（CD-ROM（Compact Disc-Read Only Memory），DVD（Digital Versatile Disc）を含む）、光磁気ディスク１１３（MD（Mini-Disc）（登録商標）を含む）、若しくは半導体メモリ１１４などよりなるパッケージメディアにより構成されるだけでなく、コンピュータに予め組み込まれた状態でユーザに提供される、プログラムが記憶されているＲＯＭ９２や記憶部９８が含まれるハードディスクなどで構成される。
【０１２３】
なお、本明細書において、媒体により提供されるプログラムを記述するステップは、記載された順序に従って、時系列的に行われる処理は勿論、必ずしも時系列的に処理されなくとも、並列的あるいは個別に実行される処理をも含むものである。
【０１２４】
また、本明細書において、システムとは、複数の装置により構成される装置全体を表すものである。
【図面の簡単な説明】
【０１２５】
【図１】本発明を適用したシステムの一実施の形態の構成を示す図である。
【図２】スイッチャの構成例を示す図である。
【図３】Ｉ／Ｆ部の構成例を示す図である。
【図４】編集部の構成例を示す図である。
【図５】編集部の機能を示す図である。
【図６】スイッチャの処理について説明するフローチャートである。
【図７】スイッチング情報について説明する図である。
【図８】メタデータの生成について説明するための図である。
【図９】メタデータの構成を示す図である。
【図１０】スイッチング情報について説明する図である。
【図１１】メタデータの構成を示す図である。
【図１２】マークについて説明するための図である。
【図１３】マーク付けの処理を説明するフローチャートである。
【図１４】編集について説明するための図である。
【図１５】編集について説明するための図である。
【図１６】シークエンスの生成について説明するための図である。
【図１７】シークエンスの生成について説明するためのフローチャートである。
【図１８】マークについて説明するための図である。
【図１９】スイッチャの他の構成例を示す図である。
【符号の説明】
【０１２６】
１１  撮影部，  １２  記録部，  １３  スイッチャ，  １４  Ｉ／Ｆ部，  １５  時刻情報生成部，  １６  編集部，  ３１乃至３４  中継カメラ，  ４１乃至４５  ＶＴＲ，  ５１  入出力部，  ５２  スイッチャ制御部，  ５３  制御部，  ５４  操作部，  ５５  スイッチング情報生成部，  １３１  メタデータ生成部，  １３２  メタデータ解析部，  １３３  編集処理部，  １３４  入力制御部，  １５１乃至１５６  ＶＴＲ，  ２０１  スイッチャ
【図１】
2005303611.tif 000003
【図２】
2005303611.tif 000004
【図３】
2005303611.tif 000005
【図４】
2005303611.tif 000006
【図５】
2005303611.tif 000007
【図６】
2005303611.tif 000008
【図７】
2005303611.tif 000009
【図８】
2005303611.tif 000010
【図９】
2005303611.tif 000011
【図１０】
2005303611.tif 000012
【図１１】
2005303611.tif 000013
【図１２】
2005303611.tif 000014
【図１３】
2005303611.tif 000015
【図１４】
2005303611.tif 000016
【図１５】
2005303611.tif 000017
【図１６】
2005303611.tif 000018
【図１７】
2005303611.tif 000019
【図１８】
2005303611.tif 000020
【図１９】
2005303611.tif 000021
【手続補正書】
【提出日】平成17年5月12日(2005.5.12)
【手続補正１】
【補正対象書類名】明細書
【補正対象項目名】００４７
【補正方法】変更
【補正の内容】
【００４７】
入力制御部１３４は、複数のＶＴＲからの映像のうち、ユーザにより指示された映像を編集処理部１３３に供給するように構成されている。ここでは、入力制御部１３４には、中継カメラ３１により撮影され、ＶＴＲ４１により記録された映像を供給するＶＴＲ１５１、中継カメラ３２により撮影され、ＶＴＲ４２により記録された映像を供給するＶＴＲ１５２、中継カメラ３３により撮影され、ＶＴＲ４３により記録された映像を供給するＶＴＲ１５３、中継カメラ３４により撮影され、ＶＴＲ４４により記録された映像を供給するＶＴＲ１５４、および、スイッチャ１３から出力され、ＶＴＲ４５により記録された映像を供給するＶＴＲ１５５が接続されている。
【手続補正２】
【補正対象書類名】明細書
【補正対象項目名】００６５
【補正方法】変更
【補正の内容】
【００６５】
［メタデータの生成について］
次に、スイッチング情報と時刻情報が供給される編集部１６の処理について、図８のフローチャートを参照して説明する。まず、編集部１６のメタデータ生成部１３１（図５）により生成されるメタデータについて説明する。
【手続補正３】
【補正対象書類名】明細書
【補正対象項目名】００８６
【補正方法】変更
【補正の内容】
【００８６】
プログラムＡは、ＶＴＲ４５（図２）により記録され、編集部１６に接続されている、例えばＶＴＲ１５５（図５）により再生される。編集処理部１３３は、入力制御部１３４を制御し、ＶＴＲ４５からの映像（すなわち、プログラムＡ）を取得する。
【手続補正４】
【補正対象書類名】明細書
【補正対象項目名】００８９
【補正方法】変更
【補正の内容】
【００８９】
ステップＳ５３において、編集処理部１３３が、メタデータに記載されている時刻情報と、プログラムＡの時刻情報が一致すると判断した場合、ステップＳ５４において、そのプログラムＡにマークを付随させる。例えば、図９に示したようなメタデータが解析された場合、時刻ｔ２のところで、マークｔ２というマークが、プログラムＡに付随される（図１２のＢ段参照）。